(57)【要約】【課題】  ＥＩＡ／ＣＥＡ−９０９規格に規定されている双方向通信を利用して、テレビジョン放送信号受信装置におけるチャンネルオートスキャン処理に必要なアンテナ装置に関する情報（例えば、アンテナ素子により受信可能な周波数帯）を容易に設定することができるテレビジョン放送信号受信システムを提供する。【解決手段】  第１周波数帯の放送信号を受信可能な第１アンテナと、第２周波数帯の放送信号を受信可能な第２アンテナと、を有するアンテナ装置と、テレビジョン放送信号受信装置と、で構成されるテレビジョン放送信号受信システムにおいて、アンテナ装置の第１アンテナ及び第２アンテナにおいて受信する放送信号の周波数帯（チャンネル番号）をテレビジョン放送受信装置において容易に設定できるようにした。【選択図】  図４
2007281749.tif 000002
【特許請求の範囲】
【請求項１】
第１周波数帯の放送信号を受信可能な第１アンテナと、第２周波数帯の放送信号を受信可能な第２アンテナと、を有するアンテナ装置と、
受信する放送信号の周波数に応じて前記第１アンテナ又は前記第２アンテナの何れかのアンテナを選択する選択手段と、前記第１アンテナ又は前記第２アンテナで受信された受信信号の受信レベルを検出する検出手段と、前記検出手段により検出された受信レベルが所定以上となった当該放送信号のチャンネルを、受信可能なチャンネルとして設定するチャンネル設定手段と、前記選択手段、検出手段、及びチャンネル設定手段の動作を制御する制御手段と、を備えたテレビジョン放送信号受信装置と、
を備えるテレビジョン放送信号受信システムにおいて、
前記アンテナ装置は、前記テレビジョン放送信号受信装置に当該アンテナ装置に関する情報として当該アンテナ装置の識別情報を送信可能な送信手段を備え、前記テレビジョン放送信号受信装置に接続されると、自動的に当該アンテナ装置に関する情報を送信し、
前記テレビジョン放送信号受信装置は、
前記アンテナ装置を識別可能な識別情報と、これに対応する受信チャンネル番号情報と、を記録された記憶手段と、
前記アンテナ装置から送信されるアンテナ装置に関する情報を受信可能な受信手段と、
前記アンテナ装置から送信されたアンテナ装置の識別情報に基づいて、前記記憶手段より対応する受信チャンネル番号情報を読み出して前記第１アンテナにより受信する前記第１周波数帯及び前記第２アンテナにより受信する前記第２周波数帯の範囲を設定可能な周波数範囲設定手段と、を備えることを特徴とするテレビジョン放送信号受信システム。
【請求項２】
第１周波数帯の放送信号を受信可能な第１アンテナと、第２周波数帯の放送信号を受信可能な第２アンテナと、を有するアンテナ装置と、
受信する放送信号の周波数に応じて前記第１アンテナ又は前記第２アンテナの何れかのアンテナを選択する選択手段と、前記第１アンテナ又は前記第２アンテナで受信された受信信号の受信レベルを検出する検出手段と、前記検出手段により検出された受信レベルが所定以上となった当該放送信号のチャンネルを、受信可能なチャンネルとして設定するチャンネル設定手段と、前記選択手段、検出手段、及びチャンネル設定手段の動作を制御する制御手段と、を備えたテレビジョン放送信号受信装置と、
を備えるテレビジョン放送信号受信システムにおいて、
前記アンテナ装置は、前記テレビジョン放送信号受信装置に当該アンテナ装置に関する情報を送信可能な送信手段を備え、
前記テレビジョン放送信号受信装置は、前記アンテナ装置から送信されるアンテナ装置に関する情報を受信可能な受信手段と、前記受信手段により受信した前記アンテナ装置に関する情報に基づいて、前記第１アンテナにより受信する前記第１周波数帯及び前記第２アンテナにより受信する前記第２周波数帯の範囲を設定可能な周波数範囲設定手段と、を備え、
前記制御手段は、前記周波数範囲設定手段により設定された第１周波数帯及び第２周波数帯に基づいて、前記選択手段を制御することを特徴とするテレビジョン放送信号受信システム。
【請求項３】
前記アンテナ装置に関する情報にはアンテナ装置の識別情報が含まれ、
前記テレビジョン放送信号受信装置は、
前記アンテナ装置を識別可能な識別情報と、これに対応する受信チャンネル番号情報と、を記録された記憶手段を有し、
前記周波数範囲設定手段は、
前記アンテナ装置から送信されたアンテナ装置の前記識別情報に基づいて、前記記憶手段より対応する受信チャンネル番号情報を読み出して前記第１アンテナにより受信する前記第１周波数帯及び前記第２アンテナにより受信する前記第２周波数帯の範囲を設定することを特徴とする請求項２に記載のテレビジョン放送信号受信システム。
【請求項４】
前記アンテナ装置に関する情報には受信チャンネル番号情報が含まれ、
前記周波数範囲設定手段は、
前記アンテナ装置から送信された前記受信チャンネル番号情報に基づいて前記第１アンテナにより受信する前記第１周波数帯及び前記第２アンテナにより受信する前記第２周波数帯の範囲を設定することを特徴とする請求項２に記載のテレビジョン放送信号受信システム。
【請求項５】
前記受信手段は、前記アンテナ装置に接続されると、当該アンテナ装置に関する情報を取得する処理を開始することを特徴とする請求項２から４の何れかに記載のテレビジョン放送信号受信システム。
【請求項６】
第１周波数帯の放送信号を受信可能な第１アンテナと、第２周波数帯の放送信号を受信可能な第２アンテナと、を有するアンテナ装置に接続され、
受信する放送信号の周波数に応じて前記第１アンテナ又は前記第２アンテナの何れかのアンテナを選択する選択手段と、
前記第１アンテナ又は前記第２アンテナで受信された受信信号の受信レベルを検出する検出手段と、
前記検出手段により検出された受信レベルが所定以上となった当該放送信号のチャンネルを、受信可能なチャンネルとして設定するチャンネル設定手段と、
前記選択手段、検出手段、及びチャンネル設定手段の動作を制御する制御手段と、を備えたテレビジョン放送信号受信装置であって、
前記アンテナ装置から送信されるアンテナ装置に関する情報を受信可能な受信手段と、前記受信手段により受信した前記アンテナ装置に関する情報に基づいて、前記第１アンテナにより受信する前記第１周波数帯及び前記第２アンテナにより受信する前記第２周波数帯の範囲を設定可能な周波数範囲設定手段と、を備え、
前記制御手段は、前記周波数範囲設定手段により設定された第１周波数帯及び第２周波数帯に基づいて前記選択手段を制御することを特徴とするテレビジョン放送信号受信装置。
【請求項７】
前記アンテナ装置に関する情報にはアンテナ装置の識別情報が含まれ、
前記アンテナ装置を識別可能な識別情報と、これに対応する受信チャンネル番号情報と、を記録された記憶手段を有し、
前記周波数範囲設定手段は、前記アンテナ装置から送信されたアンテナ装置の前記識別情報に基づいて、前記記憶手段より対応する受信チャンネル番号情報を読み出して前記第１アンテナにより受信する前記第１周波数帯及び前記第２アンテナにより受信する前記第２周波数帯の範囲を設定することを特徴とする請求項６に記載のテレビジョン放送信号受信装置。
【請求項８】
前記アンテナ装置に関する情報には受信チャンネル番号情報が含まれ、
前記周波数範囲設定手段は、前記アンテナ装置から送信された前記受信チャンネル番号情報に基づいて前記第１アンテナにより受信する前記第１周波数帯及び前記第２アンテナにより受信する前記第２周波数帯の範囲を設定することを特徴とする請求項６に記載のテレビジョン放送信号受信装置。
【請求項９】
前記受信手段は、前記アンテナ装置に接続されると、当該アンテナ装置に関する情報を取得する処理を開始することを特徴とする請求項６から８の何れかに記載のテレビジョン放送信号受信装置。
【請求項１０】
テレビジョン放送信号受信装置に接続されるアンテナ装置であって、
多方向からの第１周波数帯の放送信号を受信可能な多指向性アンテナと、
単一方向からの第２周波数帯の放送信号を受信可能な単指向性アンテナと、を備え、
前記テレビジョン放送信号受信装置によって放送信号を受信するアンテナの選択制御を可能にする第１の切換手段と、
前記多指向性アンテナの受信方向の切換制御を可能にする第２の切換手段と、
前記テレビジョン放送信号受信装置に当該アンテナ装置に関する情報を送信可能な送信手段と、を備えることを特徴とするアンテナ装置。
【請求項１１】
前記送信手段は、前記テレビジョン放送信号受信装置に接続されると、自動的に当該アンテナ装置に関する情報を送信することを特徴とする請求項１０に記載のアンテナ装置。
【発明の詳細な説明】
【技術分野】
【０００１】
本発明は、ＵＨＦ帯、ＶＨＦ帯のテレビジョン放送信号を受信可能なテレビジョン放送信号受信システムに関し、特に、多指向性アンテナを利用したチャンネルオートスキャン（チャンネル自動設定）機能を有するテレビジョン放送信号受信装置、及びこれに適したアンテナ装置に関する。
【背景技術】
【０００２】
ＡＴＳＣディジタルテレビジョン放送（以下、ＴＶ放送と略する）が行われている北米大陸では、平野部に大都市が点在し、多数の放送局が存在するため、様々な方向からＴＶ放送信号が送信されてくる。このような環境においては、ＴＶ放送信号を受信する視聴者は、自分の見たい番組が放送されている放送局の方向にアンテナの受信方向を調節する必要がある。そこで、スマートアンテナ等の多指向性アンテナが実用化されている（例えば、特許文献１，２）。
【０００３】
また、視聴者が選択したチャンネルのＴＶ放送信号を最も状態良く受信できるアンテナの受信方向を自動的に設定可能なオートスキャン機能に関する技術が提案されている（例えば、特許文献３，４）。通常、放送局側のアンテナ、すなわち放送塔の位置は変化しないので、チャンネル毎に複数方向（例えば、１６方向）についてスキャンを行い、最も受信状態の良い方向をそのチャンネルの受信方向に設定することとなる。
【０００４】
また、ＥＩＡ−９０９規格によれば、スマートアンテナは円を１６分割した各方向に受信方向を有すると規定されている。一方、ＥＩＡ−９０９規格に準拠したディジタルＴＶ放送信号受信装置では、スマートアンテナで受信可能な１６方向のすべてに対して受信方向を制御できるように構成されている。
【特許文献１】特開２００５−１１７６０８号公報
【特許文献２】特開２００１−０３６３２７号公報（特許第３６２５１５５号）
【特許文献３】特開平０６−１１３２２０号公報
【特許文献４】特開２００１−６８６２７号公報
【発明の開示】
【発明が解決しようとする課題】
【０００５】
ところで、テレビジョン放送信号受信装置において、各放送局からの放送信号を受信するためにはチャンネルオートスキャンを実行する必要があるが、視聴者にとってはできるだけ短時間で完了することが望ましい。しかしながら、上記先願技術に記載のスマートアンテナ及びオートスキャン機能を利用してチャンネルのオートスキャンを実行させる場合、ＴＶ放送信号がＶＨＦ帯であってもＵＨＦ帯であっても、チャンネル毎に全１６方向についてスキャンを行うので、設定に長時間を要するという問題がある。
【０００６】
一方、近年では、世界各国で地上放送のディジタル化が急速に進んできている。地上波ディジタル放送は、既存のＵＨＦアナログ放送と平行して放送されるが、割り当てられたチャンネル周波数のそれぞれが５〜６番組を同時に伝送することができるので、空いた周波数を様々な分野に利用することで周波数逼迫の問題を解消できるという利点がある。また、数年後には地上波アナログ放送は廃止され完全に地上波ディジタル放送に移行されることが決定しており、これに伴いＶＨＦ帯を利用した放送は縮小、将来的には停波されることとなる。
【０００７】
このような情勢の元では、受信されないチャンネル（空きチャンネル）が多くなるので、ＶＨＦ帯のチャンネルを設定するのに上記先願技術を利用しても、余計に無駄な時間を費やすことになりかねない。
【０００８】
また、ＵＨＦ帯用の多指向性アンテナとＶＨＦ帯用の単指向性アンテナとを備えたアンテナ装置において、何れのアンテナでどれくらいの周波数帯をカバーできるかというのはアンテナ素子の仕様によって異なるので、テレビジョン放送信号受信装置においてチャンネルオートスキャン処理を実行する際に、それぞれのアンテナに対して常に最適な周波数範囲（受信可能とするチャンネルの範囲）を設定できているとは限らない。
【０００９】
そこで、本発明は、ＥＩＡ／ＣＥＡ−９０９規格に規定されている双方向通信を利用して、テレビジョン放送信号受信装置におけるチャンネルオートスキャン処理に必要なアンテナ装置に関する情報（例えば、アンテナ素子により受信可能な周波数帯）を容易に設定することができるテレビジョン放送信号受信システムを提供することを目的とする。
【課題を解決するための手段】
【００１０】
本発明は、前記課題を解決するためになされたものであり、第１周波数帯の放送信号を受信可能な第１アンテナと、第２周波数帯の放送信号を受信可能な第２アンテナと、を有するアンテナ装置と、受信する放送信号の周波数に応じて前記第１アンテナ又は前記第２アンテナの何れかのアンテナを選択する選択手段と、前記第１アンテナ又は前記第２アンテナで受信された受信信号の受信レベルを検出する検出手段と、前記検出手段により検出された受信レベルが所定以上となった当該放送信号のチャンネルを、受信可能なチャンネルとして設定するチャンネル設定手段と、前記選択手段、検出手段、及びチャンネル設定手段の動作を制御する制御手段と、を備えたテレビジョン放送信号受信装置と、を備えるテレビジョン放送信号受信システムにおいて、前記アンテナ装置は、前記テレビジョン放送信号受信装置に当該アンテナ装置に関する情報を送信可能な送信手段を備え、前記テレビジョン放送信号受信装置は、前記アンテナ装置から送信されるアンテナ装置に関する情報を受信可能な受信手段と、前記受信手段により受信した前記アンテナ装置に関する情報に基づいて、前記第１アンテナにより受信する前記第１周波数帯及び前記第２アンテナにより受信する前記第２周波数帯の範囲を設定可能な周波数範囲設定手段と、を備え、前記制御手段は、前記周波数範囲設定手段により設定された第１周波数帯及び第２周波数帯に基づいて、前記選択手段を制御することを特徴とする。
【００１１】
すなわち、アンテナ装置の第１アンテナ及び第２アンテナにおいて受信する放送信号の周波数帯（物理チャンネル）をテレビジョン放送受信装置において容易に設定できるようにした。
【００１２】
具体的には、前記アンテナ装置に関する情報にはアンテナ装置の識別情報が含まれ、前記テレビジョン放送信号受信装置は、前記アンテナ装置を識別可能な識別情報（例えば、ＥＩＡ−９０９の通信モードＢで規定される予約コード等）と、これに対応する受信チャンネル番号情報と、を記録された記憶手段を有し、前記周波数範囲設定手段は、前記アンテナ装置から送信されたアンテナ装置の前記識別情報に基づいて、前記記憶手段より対応する受信チャンネル番号情報を読み出して前記第１アンテナにより受信する前記第１周波数帯及び前記第２アンテナにより受信する前記第２周波数帯の範囲を設定するようにした。
【００１３】
例えば、ＥＩＡ／ＣＥＡ−９０９の通信モードＢに規定される予約コードにアンテナ装置の識別情報を格納することで、この予約コードに基づいてテレビジョン放送信号受信装置側でアンテナ装置の種別を特定することができる。そして、第１アンテナで受信する第１周波数帯及び第２アンテナにより受信する第２周波数帯を容易に設定することができる。
【００１４】
又は、前記アンテナ装置に関する情報には受信チャンネル番号情報が含まれ、前記周波数範囲設定手段は、前記アンテナ装置から送信された前記受信チャンネル番号情報に基づいて前記第１アンテナにより受信する前記第１周波数帯及び前記第２アンテナにより受信する前記第２周波数帯の範囲を設定するようにした。この場合は、アンテナ種別と受信チャンネル番号情報を対応させたテーブルをテレビジョン放送信号受信装置のメモリに記憶させておく必要はなくなる。
【００１５】
さらに、前記受信手段は、前記アンテナ装置に接続されると、自動的に当該アンテナ装置に関する情報を取得する処理を開始するようにした。
【発明の効果】
【００１６】
本発明によれば、第１周波数帯の放送信号を受信可能な第１アンテナと、第２周波数帯の放送信号を受信可能な第２アンテナと、を有するアンテナ装置と、受信する放送信号の周波数に応じて第１アンテナ又は第２アンテナの何れかのアンテナを選択する選択手段と、第１アンテナ又は第２アンテナで受信された受信信号の受信レベルを検出する検出手段と、検出手段により検出された受信レベルが所定以上となった当該放送信号のチャンネルを、受信可能なチャンネルとして設定するチャンネル設定手段と、選択手段、検出手段、及びチャンネル設定手段の動作を制御する制御手段と、を備えたテレビジョン放送信号受信装置と、を備えるテレビジョン放送信号受信システムにおいて、アンテナ装置は、テレビジョン放送信号受信装置に当該アンテナ装置に関する情報を送信可能な送信手段を備え、テレビジョン放送信号受信装置は、アンテナ装置から送信されるアンテナ装置に関する情報を受信可能な受信手段と、受信手段により受信したアンテナ装置に関する情報に基づいて、第１アンテナにより受信する第１周波数帯及び第２アンテナにより受信する第２周波数帯の範囲を設定可能な周波数範囲設定手段と、を備え、制御手段は、周波数範囲設定手段により設定された第１周波数帯及び第２周波数帯に基づいて記選択手段を制御するようにしたので、視聴者は煩雑な設定を行うことなく、テレビジョン放送信号受信装置におけるチャンネルオートスキャン処理に必要なアンテナ装置に関する情報（例えば、アンテナ素子により受信可能な周波数帯）を容易に設定することができる。
【００１７】
したがって、テレビジョン放送信号受信装置に接続されたアンテナ装置において、最適なチャンネルオートスキャン処理を実行させることができる。
【発明を実施するための最良の形態】
【００１８】
以下、本発明の好適な実施の形態を、図面を参照して説明する。なお、発明の範囲は、図示例に限定されない。
【００１９】
図１はテレビジョン放送信号受信システムの機能的構成を示すブロック図であり、図２はアンテナ装置１の外観を示す斜視図である。
【００２０】
本実施形態にかかるテレビジョン放送信号受信システム１００は、複数方向からの放送信号を受信可能なアンテナ装置１と、アンテナ装置１を接続したテレビジョン放送信号受信装置としてのセットトップボックス（以下、ＳＴＢと略する）３と、を備えて構成される。
【００２１】
アンテナ装置１は、例えば、ＳＴＢ３により所定の規格（例えば、ＥＩＡ／ＣＥＡ−９０９等）に基づいて制御されるとともに、ＳＴＢ３にアンテナ装置１に関する情報（識別情報等）を送信可能に構成される。
【００２２】
ＳＴＢ３は、例えば、アンテナ装置１から送信されたアンテナ装置に関する情報に基づいて、アンテナ装置１で受信するテレビジョン放送信号（以下、「ＴＶ放送信号」という。）の周波数範囲を設定するとともに、アンテナ装置１を介してテレビジョン放送信号を受信する。また、受信したＴＶ放送信号に基づいて、音声や画像を出力する。
【００２３】
本実施形態では、アンテナ装置１及びＳＴＢ３は、一例としてＥＩＡ／ＣＥＡ−９０９規格（通信モードＡ，Ｂ）に準拠するものとし、アンテナ装置１とＳＴＢ３との間で双方向通信を行うためのインターフェイスを９０９インターフェイスと称する。
【００２４】
アンテナ装置１は、例えば、９０９インターフェイス１０と、アンテナコントローラ１１と、第１周波数帯域のＴＶ放送信号（例えば、ＵＨＦ信号）の受信に際して指向性の切り替えが可能な第１アンテナ（多指向性アンテナ）１３と、第２周波数帯域のＴＶ放送信号（例えば、ＶＨＦ信号）の受信に際して指向性が固定された第２アンテナ（単指向性アンテナ）１２と、を備えて構成される。第１アンテナ１３と第２アンテナ１２は、例えば、図２に示すように、着脱自在に連結されている。
【００２５】
第２アンテナ１２は、例えば、放送局の送信塔等から送出される第２周波数帯のＴＶ放送信号の受信が可能となるよう構成されたアンテナである。具体的には、第２アンテナ１２は、いわゆるラビットアンテナであり、第１アンテナ１３に着脱自在に取り付けられている。
【００２６】
第１アンテナ１３は、例えば、放送局の送信塔等から送出される第１周波数帯のＴＶ放送信号の受信が可能となるよう構成されたアンテナである。具体的には、第１アンテナ１３は、いわゆるスマートアンテナ（八木形アンテナ）であり、複数の方向（例えば、１６方向）に指向性を調整できる。
【００２７】
第１アンテナ１３及び第２アンテナ１２は、ＳＴＢ３のチューナ３２に接続されており、ＴＶ放送信号を受信すると、当該ＴＶ放送信号を所定のゲインで増幅する等のゲインコントロール処理を施し、チューナ３２に当該ＴＶ放送信号（具体的には、ＲＦ（Radio Frequency）信号）を出力する。
【００２８】
なお、第１アンテナ１３で受信する第１周波数帯及び第２アンテナ１２で受信する第２周波数帯は、アンテナ装置１から送信されたアンテナ装置に関する情報に基づいて、ＳＴＢ３において設定される。
【００２９】
９０９インターフェイス１０は、例えば、ＳＴＢ３の９０９インターフェイス３１（後述）と接続しており、ＳＴＢ３の９０９インターフェイス３１（後述）と所定の規格（例えば、ＥＩＡ／ＣＥＡ−９０９等）に基づいた通信を行って、ＳＴＢ３からアンテナ装置１を制御するためのチャンネル情報（後述）等を受信したり、第１アンテナ１３又は第２アンテナ１２で受信する周波数範囲を設定するためのアンテナ装置に関する情報をＳＴＢ３に送信したりする。
【００３０】
アンテナコントローラ１１は、例えば、制御部１１１と、切替部１１２と、を備えている。さらに、制御部１１１は、例えば、ＣＰＵ（Central Processing Unit）１１１１と、ＲＡＭ（Random Access Memory）１１１２と、ＲＯＭ（Read Only Memory）１１１３と、を備えている。
【００３１】
ＣＰＵ１１１１は、ＲＯＭ１１１３に記憶されたアンテナコントローラ１１用の各種処理プログラムに従って各種の制御動作を行う。ＲＡＭ１１１２は、ＣＰＵ１１１１によって実行される処理プログラムなどを展開するためのプログラム格納領域や、入力データや上記処理プログラムが実行される際に生じる処理結果などを格納するデータ格納領域などを備える。ＲＯＭ１１１３は、アンテナコントローラ１１で実行可能なシステムプログラム、当該システムプログラムで実行可能な各種処理プログラム、これら各種処理プログラムを実行する際に使用されるデータ、ＣＰＵ１１１１によって演算処理された処理結果のデータなどを記憶する。なお、プログラムは、コンピュータが読み取り可能なプログラムコードの形でＲＯＭ１１１３に記憶されている。例えば、ＲＯＭ１１１３には、取得プログラム、判定プログラム、選択プログラムなどが記憶されている。
【００３２】
ＣＰＵ１１１１は、ＲＯＭ１１１３に格納されている取得プログラムを実行することにより、例えば、ＳＴＢ３の９０９インターフェイス３１から送信されたチャンネル情報を取得する。ここで、チャンネル情報とは、例えば、ユーザによって選局されたチャンネル（仮想チャンネル）に応じた情報である。具体的には、物理チャンネル番号と、アンテナの指向性の方向に関する方向情報と、アンテナのゲインに関するゲイン情報と、を含む。
【００３３】
また、ＣＰＵ１１１１は、判定プログラムを実行することにより、ユーザによって選局されたチャンネルに対応するＴＶ放送信号が第１周波数帯に属するか第２周波数帯に属するかを判定する。具体的には、ＣＰＵ１１１１は、物理チャンネル番号αが所定値（例えばα＝１７）以下の場合に当該ＴＶ放送信号は第２周波数帯に属すると判定し、所定値より大きい場合に当該ＴＶ放送信号は第１周波数帯に属すると判定する。ここで、物理チャンネル番号は、例えば、ＴＶ放送信号が存在する周波数帯域の周波数値に対応するように付与されたものであり、物理チャンネル番号が大きいＴＶ放送信号ほど、周波数値が大きい周波数帯域に存在する。また、ＶＨＦ信号と比較して、ＵＨＦ信号は周波数値が大きい周波数帯域に存在する。したがって、ＴＶ放送信号が、第１周波数帯に属するか第２周波数帯に属するかは、物理チャンネル番号によって判定することができる。
【００３４】
さらに、ＣＰＵ１１１１は、選択プログラムを実行することにより、選局されたチャンネルに対応するＴＶ放送信号が属する周波数帯（物理チャンネル番号）に応じて、第２アンテナ１２か第１アンテナ１３の何れかを選択し、ＴＶ放送信号を受信させる。すなわち、ユーザにより第２周波数帯に属するチャンネルが選局された場合には第２アンテナ１２でＴＶ放送信号を受信するように選択され、第１周波数帯に属するチャンネルが選局された場合には第１アンテナ１３でＴＶ放送信号を受信するように選択される。
【００３５】
切替部１１２は、例えば、制御部１１１から入力される制御信号に従って、受信アンテナとして第１アンテナ１３が選択された場合に、上記方向情報に基づいて第１アンテナ１３の指向性を切り替える。
【００３６】
ＳＴＢ３は、例えば、９０９インターフェイス３１と、チューナ３２と、フロントエンド３３と、デコーダ３４と、ＯＳＤ回路３５と、リモコン受信部３６と、記憶部３７と、制御部３８と、を備えて構成される。各部は、バス３０により接続されている。
【００３７】
また、ＳＴＢ３は、例えば、リモコン受信部３６と通信可能なＳＴＢ３用のリモートコントローラ（以下、リモコンという）３６１を備えている。
【００３８】
９０９インターフェイス３１は、例えば、アンテナ装置１の９０９インターフェイス１０と接続しており、制御部３８から入力される制御信号に従って、アンテナ装置１の９０９インターフェイス１０と所定の規格（例えば、ＥＩＡ／ＣＥＡ−９０９等）に基づいた通信を行って、アンテナ装置１にチャンネル情報等を送信する。
【００３９】
チューナ３２は、アンテナ装置１の第２アンテナ１２及び第１アンテナ１３と接続されており、例えば、制御部３８から入力される制御信号に従って、第２アンテナ１２又は第１アンテナ１３から出力されたＴＶ放送信号の中から一のチャンネル（ユーザによって選局されたチャンネル）に対応するＴＶ放送信号を取得して、フロントエンド３３に出力する。
【００４０】
フロントエンド３３は、例えば、制御部３８から入力される制御信号に従って、チューナ３２から出力されたＴＶ放送信号を中間周波信号に変換して、デコーダ３４に出力する。
【００４１】
デコーダ３４は、例えば、制御部３８から入力される制御信号に従って、フロントエンド３３から出力されたＴＶ放送信号に対して所定のファイル形式（例えば、ＭＰＥＧ−２（Moving Picture Experts Group phase 2）形式等）に応じた処理を施すことによって、当該ＴＶ放送信号を音声信号と画像信号とに分離してデコードする。そして、当該デコードした音声信号を音声出力装置４１に出力するとともに、画像信号を画像表示装置４２に出力する。
【００４２】
ＯＳＤ回路３５は、例えば、制御部３８から入力される制御信号に従って、画像表示装置４２に所定のＯＳＤ表示（オンスクリーンディスプレイ表示）をさせるためのＯＳＤ表示信号を、デコーダ３４から画像表示装置４２に出力される画像信号に合成する。
【００４３】
音声出力装置４１は、例えば、ＳＴＢ３に接続されたスピーカ機器等であり、デコーダ３４から出力された音声信号に基づく音声データに応じた音声を出力する。画像表示装置４２は、例えば、ＳＴＢ３に接続された液晶表示機器等であり、デコーダ３４から出力された画像信号に基づく画像データに応じた画像や、デコーダ３４から出力され、ＯＳＤ回路３７によりＯＳＤ表示信号（後述）が合成された画像信号に基づく画像データに応じた画像を表示する。
【００４４】
リモコン受信部３６は、例えば、リモコン３６１から送信された各種信号を受信し、当該各種信号に基づく各種データを、制御部３８に出力する。リモコン３６１は、例えば、選局するチャンネルを指定する際に操作されるチャンネルキーやチャンネルアップ／ダウンキーなどを有しており、ユーザによるキー操作に応じた信号をリモコン受信部３６に送信する。
【００４５】
記憶部３７は、例えば、磁気的記憶媒体、光学的記憶媒体、若しくは半導体メモリで構成されており、チャンネルマップ３７１等が記憶されている。
【００４６】
このチャンネルマップ３７１には、例えば、チャンネル情報等が格納されている。具体的には、リモコン３８１のチャンネルキーやチャンネルアップ／ダウンキーに割り当てられた仮想チャンネル番号と、物理チャンネル番号と、アンテナの指向性の方向に関する方向情報と、アンテナのゲインに関するゲイン情報と、などが対応付けて格納されている。このチャンネルマップ３９１に記憶される情報は、例えば、アンテナシステム１００の初期設定処理において決定されて、チャンネルマップ３９１に記憶されるようになっている。
【００４７】
制御部３８は、例えば、ＣＰＵ３８１と、ＲＡＭ３８２と、ＲＯＭ３８３と、を備えている。ＣＰＵ３８１は、ＲＯＭ３８３に記憶されたＳＴＢ３用の各種処理プログラムに従って、各種の制御動作を行う。ＲＡＭ３８２は、ＣＰＵ３８１によって実行される処理プログラムなどを展開するためのプログラム格納領域や、入力データや上記処理プログラムが実行される際に生じる処理結果などを格納するデータ格納領域などを備える。ＲＯＭ３８３は、ＳＴＢ３で実行可能なシステムプログラム、当該システムプログラムで実行可能な各種処理プログラム、これら各種処理プログラムを実行する際に使用されるデータ、ＣＰＵ３８１によって演算処理された各種結果のデータなどを記憶する。なお、プログラムは、コンピュータが読み取り可能なプログラムコードの形でＲＯＭ３８３に記憶されている。例えば、ＲＯＭ３８３は、９０９インターフェイス３１を介して、アンテナ装置１にチャンネル情報を送信する機能を実現させる送信プログラム等を記憶している。
【００４８】
例えば、ユーザによるリモコン３６１のキー操作等によってチャンネルが選局されると、ＣＰＵ３８１は、送信プログラムを実行することにより、当該チャンネルのチャンネル番号（仮想チャンネル番号）に対応するチャンネル情報（物理チャンネル番号、方向情報、ゲイン情報など）を記憶部３９のチャンネルマップ３９１から取得して、９０９インターフェイス３１を介してアンテナ装置１に送信する。
【００４９】
また、制御部３８は、受信するＴＶ放送信号の周波数に応じて第１アンテナ（多指向性アンテナ）１３又は第２アンテナ（単指向性アンテナ）１２の何れかを選択するようにアンテナ装置１を制御する選択手段、第１アンテナ１３又は第２アンテナ１２で受信されたＴＶ放送信号の受信レベルを検出する検出手段、検出手段により検出された受信レベルが所定値以上となった当該ＴＶ放送信号のチャンネルを、受信可能なチャンネルとして設定するチャンネル設定手段、としての処理を実行する。
【００５０】
さらに、制御部３８は、通信手段としての９０９インターフェイス３１により受信したアンテナ装置１に関する情報に基づいて、第１アンテナ１３により受信する第１周波数帯（ＵＨＦ帯）及び第２アンテナ１２により受信する第２周波数帯（ＶＨＦ帯）の範囲を設定する（周波数範囲設定手段）。
【００５１】
具体的には、記憶部３７に記憶されている、アンテナ種別を識別可能な識別情報（予約コード）と、これに対応する受信チャンネル番号情報とが格納されたテーブル（図３参照）を利用する。ここで、予約コードとはＥＩＡ／ＣＥＡ−９０９の通信モードＢにおいて規定されている通信情報の一つであり、本実施形態ではこれをアンテナ装置１の識別情報として利用している。なお、図３に示すテーブルでは、受信チャンネル番号情報を第１アンテナ及び第２アンテナで受信可能な物理チャンネルの範囲で表している。また、アンテナ装置１の識別情報に対応してメーカ名と型番も格納されている。
【００５２】
つまり、制御部３８は、アンテナ装置１から送信されたアンテナ装置１を識別可能な識別情報（予約コード）に基づいて、図３に示すテーブルから対応する受信チャンネル番号情報を読み出し、第１アンテナ１３により受信可能な物理チャンネル（第１周波数帯）及び第２アンテナ１２により受信可能な物理チャンネル（第２周波数帯）を設定することとなる。ここで、ＳＴＢ３では、アンテナ装置１と接続されると、自動的にアンテナ装置１に関する情報を取得する処理を開始するようにしてもよい。
【００５３】
本実施形態に係るテレビジョン放送信号受信システム１００は、上述したようにアンテナ装置１とＳＴＢ３と、を備えて構成される。
【００５４】
図４は、アンテナ装置１の第１アンテナ１３及び第２アンテナ１２で受信可能な周波数範囲（チャンネル番号）の設定処理について示したフローチャートである。
【００５５】
まず、ステップＳ１１で、アンテナ装置１が接続されているか判定する。そして、アンテナ装置１が接続されていない場合はそのまま処理を終了する。一方、ステップＳ１１でアンテナ装置１が接続されていると判定した場合は、ステップＳ１２で識別情報としての予約コードを受信したか判定する。
【００５６】
そして、予約コードを受信していない場合はそのまま処理を終了する。一方、ステップＳ１２で予約コードを受信したと判定した場合は、ステップＳ１３で予約コードからアンテナ種別を特定する。例えば、図３に示すテーブルを参照すると、アンテナ装置１から送信された予約コードが"ａ"であった場合は、メーカ名が"ａａａａ"で型番が"ＡＡ"のアンテナ装置であると特定できる。
【００５７】
次いで、ステップＳ１４で、第１アンテナ１３により受信する第１周波数帯及び第２アンテナにより受信する第２周波数帯を設定する。例えば、アンテナ装置１から送信された予約コードが"ａ"であった場合は、第１周波数帯として１８〜６９ｃｈ（に対応する周波数帯）が設定され、第２周波数帯として１〜１７ｃｈ（に対応する周波数帯）が設定されることとなる。
【００５８】
このように、本実施形態に係るＳＴＢ３によれば、視聴者は煩雑な設定を行うことなく、ＳＴＢ３におけるチャンネルオートスキャン処理に必要なアンテナ装置１に関する情報（例えば、第１アンテナ１３で受信可能な第１周波数帯及び第２アンテナ１２で受信可能な第２周波数帯）を容易に設定することができる。
【００５９】
図５は、ＳＴＢ３におけるチャンネルオートスキャン（チャンネル自動設定）処理について示したフローチャートである。このチャンネルオートスキャン処理は、例えば、リモコン３６１からの入力操作に基づいて、制御部３８が所定のプログラムを実行することで行われる。
【００６０】
なお、図４のフローチャートに示す周波数範囲設定処理において、第１周波数帯として１８〜６９ｃｈ（に対応する周波数帯）が設定され、第２周波数帯として１〜１７ｃｈ（に対応する周波数帯）が設定された場合について説明する。
【００６１】
まず、チャンネルオートスキャン処理が開始されると、ステップＳ１０１で受信方向を初期化する。例えば、受信方向αをα＝０に設定する。なお、第２周波数帯（ＶＨＦ帯）のチャンネルに対しては、受信方向は単一方向であるため受信方向は変化しないが、便宜上α＝０としている。
【００６２】
次いで、ステップＳ１０２では、チャンネルを初期化する。例えば、チャンネル番号ＣＨをＣＨ＝０に設定する。ステップＳ１０３では、チャンネル番号を１加算する。すなわち、チャンネル番号はＣＨ＝１となる。次いで、ステップＳ１０４で、受信アンテナとして第２アンテナ（単指向性アンテナ）１２を選択する（選択手段）。
【００６３】
そして、ステップＳ１０５で、所定チャンネルに対応するＴＶ放送信号を受信する。次いで、ステップＳ１０６で、当該チャンネルのＴＶ放送信号について所定値以上の受信レベルが得られた場合には、そのチャンネルを受信可能なチャンネルとして設定する（検出手段、チャンネル設定手段）。
【００６４】
以上の処理により、第２周波数帯（ＶＨＦ帯）の１つのＴＶ放送信号についてのチャンネル設定が終了する。
【００６５】
次いで、ステップＳ１０７で第２周波数帯のＴＶ放送信号に対応するチャンネル（例えば、１〜１７ｃｈ）について、すべてチャンネル設定が完了したか、すなわちＣＨ＝１７となっているか判定する。そして、ＣＨ＝１７でないと判定した場合は、ステップＳ１０３に移行してチャンネル番号を１加算し、次のチャンネルに対してチャンネル設定を行う。
【００６６】
一方、ステップＳ１０７でＣＨ＝１７であると判定した場合は、第２周波数帯のＴＶ放送信号に対するチャンネルオートスキャンは完了となり、ステップＳ１０８に移行して第１周波数帯（ＵＨＦ帯）のＴＶ放送信号に対するチャンネルオートスキャンを開始する。
【００６７】
まず、ステップＳ１０８で受信方向を初期化する。例えば、受信方向αをα＝０に設定する。なお、第１周波数帯のＴＶ放送信号に対しては、受信方向は１６方向に変化されるので、αは０〜１５の値をとることとなる。
【００６８】
次いで、ステップＳ１０９では、チャンネル番号を１加算する。すなわち、第２周波数帯のＴＶ放送信号に対するチャンネルオートスキャンが完了した時点でチャンネル番号はＣＨ＝１７となっているので、チャンネル番号を１加算するとＣＨ＝１８となる。次いで、ステップＳ１１０で、受信アンテナとして第１アンテナ（多指向性アンテナ）を選択する（選択手段）。
【００６９】
そして、ステップＳ１１１で、所定チャンネルに対応するＴＶ放送信号を受信する。次いで、ステップＳ１１２で、１６方向について受信処理を行ったか、すなわち、α＝１５となっているか判定する。ステップＳ１１２でα＝１５でないと判定した場合は、ステップＳ１１５でαを１加算してステップＳ１１１以降の処理を実行する（受信方向切換手段）。
【００７０】
一方、ステップＳ１１２でα＝１５であると判定した場合は、ステップＳ１１３に移行する。次いで、ステップＳ１１３で、当該チャンネルのＴＶ放送信号について所定値以上の受信レベルが得られた場合には、そのチャンネルを受信可能なチャンネルとして設定する（検出手段、チャンネル設定手段）。同時に、受信方向を順次変更させたときに検出された複数の受信方向に対する受信レベルに基づいて、最適な受信状態が得られる受信方向（α＝０〜１５）を設定する（受信方向設定手段）。
【００７１】
以上の処理により、第１周波数帯の１つのＴＶ放送信号についてのチャンネル設定が終了する。
【００７２】
次いで、ステップＳ１１４で第１周波数帯のＴＶ放送信号に対応するチャンネル（例えば、１８〜６９ｃｈ）について、すべてチャンネル設定が完了したか、すなわちＣＨ＝６９となっているか判定する。そして、ＣＨ＝６９でないと判定した場合は、ステップＳ１０８に移行して受信方向を初期化するとともに、ステップＳ１０９でチャンネル番号を１加算し、次のチャンネルに対してチャンネル設定を行う。
【００７３】
一方、ステップＳ１１４でＣＨ＝６９であると判定した場合は、第１周波数帯のチャンネルに対するチャンネルオートスキャンは完了となり、これをもってチャンネルオートスキャン処理は終了する。
【００７４】
上述したように、本実施形態では、第１周波数帯のＴＶ放送信号（１８〜６９ｃｈ）に対しては、第１アンテナ（多指向性アンテナ）１３を選択させたときに得られる受信信号の受信レベルに基づいて、当該放送信号のチャンネル及び受信方向（α＝０〜１５）を設定させる一方、第２周波数帯のＴＶ放送信号（１〜１７ｃｈ）に対しては、第２アンテナ（単指向性アンテナ）１２を選択させたときに得られる受信信号の受信レベルに基づいて、当該放送信号のチャンネルのみを設定させるようにしている。すなわち、将来的に廃止されるＶＨＦ帯に相当する第２周波数帯のＴＶ放送信号に対しては、受信方向を第２アンテナ１２により定められる一方向とすることで、チャンネルオートスキャンを簡略化するようにしている。
【００７５】
なお、ＶＨＦ帯のＴＶ放送信号を使用している放送局の数は年々減少しており、現在では数局程度であるため、視聴者が手動により受信方向を設定することで十分対応できると考えられる。
【００７６】
このように、本実施形態にかかるＳＴＢ３によれば、ＶＨＦ帯に相当する第２周波数帯のＴＶ放送信号に対するチャンネルオートスキャンの時間が格段に短縮されるので、チャンネルオートスキャンを実行させることに対する視聴者の不満を解消することができる。したがって、ディジタル放送化が進むに伴い放送局が増減しても、視聴者は比較的安易にチャンネルオートスキャンを実行させ、所望の放送信号を受信できる状態とすることができる。
【００７７】
以上、本発明者によってなされた発明を実施形態に基づいて具体的に説明したが、本発明は上記実施形態に限定されるものではなく、その要旨を逸脱しない範囲で変更可能である。
【００７８】
上記実施形態では、第２アンテナ（単指向性アンテナ）１２と第１アンテナ（多指向性アンテナ）１３を備えたアンテナ装置１を用いた場合の周波数範囲設定処理、チャンネルオートスキャン処理について説明したが、アンテナ装置１の構成は上記構成に限定されるものではなく、例えば、上記特許文献２に開示されている、いわゆるスマートアンテナを用いる構成とした場合にも適用できる。すなわち、第１周波数帯（ＵＨＦ帯）用と、第２周波数帯（ＶＨＦ帯）用に、２つのアンテナ素子を備えたアンテナ装置と、テレビジョン放送信号受信装置とで構成されるテレビジョン放送信号受信システムであればよい。
【００７９】
ただし、第２周波数帯（ＶＨＦ帯）用にも多指向性アンテナを用いたアンテナ装置を用いる場合は、チャンネルオートスキャン処理は図５に示す処理とは異なり、第２周波数帯（ＶＨＦ帯）のチャンネルに対しても図５のステップＳ１０８からＳ１１４の処理が実行されることとなる。
【００８０】
また、上記実施形態では、アンテナ装置１から送信されたアンテナ装置の識別情報に基づいて、記憶部３７に格納されているテーブル（図３参照）から対応する受信チャンネル番号情報を読み出して第１周波数帯及び第２周波数帯の範囲を設定するようにしているが、アンテナ装置１からそれぞれのアンテナ１２，１３で受信可能な受信チャンネル番号情報を送信するようにしてもよい。この場合は、図３に示すようなアンテナ種別と受信チャンネル番号情報を対応させたテーブルをテレビジョン放送信号受信装置に設ける必要はなくなる。
【００８１】
また、上記実施形態では、アンテナ装置１から送信されたアンテナ装置に関する情報に基づいて、ＳＴＢ３において第１周波数帯及び第２周波数帯を設定するようにしているが、第１周波数帯及び第２周波数帯を視聴者により設定させるようにすることもできる。
【図面の簡単な説明】
【００８２】
【図１】本実施形態に係るテレビジョン放送信号受信システムの機能的構成を示すブロック図である。
【図２】本実施形態に係るアンテナ装置１の外観を示す斜視図である。
【図３】アンテナ種別と受信周波数情報とを対応させて格納したテーブルの一例である。
【図４】アンテナ装置１の第１アンテナ１３及び第２アンテナ１２で受信可能な周波数範囲（チャンネル番号）の設定処理について示したフローチャートである。
【図５】ＳＴＢ３におけるチャンネルオートスキャン処理について示したフローチャートである。
【符号の説明】
【００８３】
１      アンテナ装置
１０    ９０９インターフェイス（双方向通信可能）
１１    アンテナコントローラ
１１１  制御部
１１２  切替部
１２    第２アンテナ（単指向性アンテナ）
１３    第１アンテナ（多指向性アンテナ）
３      セットトップボックス（テレビジョン放送信号受信装置）
３１    ９０９インターフェイス（双方向通信可能）
３２    チューナ
３３    フロントエンド
３４    デコーダ
３５    ＯＳＤ回路
３６    リモコン受信部
３６１  リモコン（操作手段）
３７    記憶部
３８    制御部（選択手段、検出手段、チャンネル設定手段、受信方向切換手段、受信方向設定手段）
４１    音声出力装置
４２    画像表示装置
１００  テレビジョン放送信号受信システム
【図１】
2007281749.tif 000003
【図２】
2007281749.tif 000004
【図３】
2007281749.tif 000005
【図４】
2007281749.tif 000006
【図５】
2007281749.tif 000007